(57)【要約】【課題】外部装置に必要な電力を供給することができ、電気エネルギーを保存、もしくは放電することができる充電可能な照明器具を提供する。【解決手段】  電気エネルギーを保存し、他の電気回路を使用する電気エネルギーを提供する充・放電素子と、該充・放電素子に接続し、充・放電素子から電気エネルギーの供給を受ける制御素子と、制御素子に接続し、制御素子の出力を切り替えるために供する切り替えスイッチと、制御素子、充・放電素子に接続し、充・放電素子の電気エネルギーの供給を受けて、制御素子で操作して信号を出力する１以上の駆動素子と、該駆動素子に接続し、駆動素子が出力する信号に基づいて作動する発光素子と、該充・放電素子、制御素子、駆動素子、発光素子に接続し、外部装置に接続する接続ポートとを含んでなる。【選択図】  図１
2007066899.tif 000002
【特許請求の範囲】
【請求項１】
電気エネルギーを保存し、他の電気回路を使用する電気エネルギーを提供する充・放電素子と、
該充・放電素子に接続し、充・放電素子から電気エネルギーの供給を受ける制御素子と、
該制御素子に接続し、制御素子の出力を切り替えるために供する切り替えスイッチと、
該制御素子、充・放電素子に接続し、充・放電素子の電気エネルギーの供給を受けて、制御素子で操作して信号を出力する１以上の駆動素子と、該駆動素子に接続し、駆動素子が出力する信号に基づいて作動する発光素子と、
該充・放電素子、制御素子、駆動素子、発光素子に接続し、外部装置に接続する接続ポートとを含んでなることを特徴とする充電可能な照明器具。
【請求項２】
前記充・放電素子、制御素子、駆動素子、発光素子、接続ポートの間にスイッチが設けられることを特徴とする請求項１に記載の充電可能な照明器具。
【請求項３】
前記接続ポートが導線に接続することを特徴とする請求項１に記載の充電可能な照明器具。
【請求項４】
前記導線が第一端子、第二端子を具えてなることを特徴とする請求項３に記載の充電可能な照明器具。
【請求項５】
前記スイッチが磁力バネスイッチで、第一端子が磁性素子を設けてなることを特徴とする請求項４に記載の充電可能な照明器具。
【請求項６】
前記第二端子が外部装置に接続し、且つ、第二端子が様々な形態のコネクタであることを特徴とする請求項４に記載の充電可能な照明器具。
【請求項７】
前記外部装置が電気設備であることを特徴とする請求項６に記載の充電可能な照明器具。
【請求項８】
前記外部装置が電源発生設備であることを特徴とする請求項６に記載の充電可能な照明器具。
【請求項９】
前記電源発生設備が交流部と直流部とを含んでなることを特徴とする請求項８に記載の充電可能な照明器具。
【請求項１０】
前記交流部が発電機から形成されることを特徴とする請求項９に記載の充電可能な照明器具。
【請求項１１】
前記直流部が整流素子と、安定素子とを含んでなり、該整流素子が交流部に接続して交流部が出力する交流電気を直流電気に転換し、該安定素子は整流素子に接続し、安定した電圧で直流電気を維持することを特徴とする請求項９に記載の充電可能な照明器具。
【請求項１２】
前記直流部がコンピュータの入出力インタフェイスからなることを特徴とする請求項９に記載の充電可能な照明器具。
【請求項１３】
前記電源発生設備は外部接続式の電源転換器からなることを特徴とする請求項８に記載の充電可能な照明器具。
【請求項１４】
前記発電機は自転車に設けることを特徴とする請求項１０に記載の充電可能な照明器具。
【請求項１５】
前記発光素子は自転車のヘッドライトであることを特徴とする請求項１に記載の充電可能な照明器具。
【請求項１６】
前記安定素子は駆動素子に接続し、駆動素子に接続する発光素子を作動させることを特徴とする請求項１１に記載の充電可能な照明器具。
【請求項１７】
前記発光素子は自転車のテール．ライトの内部に設けることを特徴とする請求項１６に記載の充電可能な照明器具。
【発明の詳細な説明】
【技術分野】
【０００１】
この発明は、照明器具に関し、特に電気エネルギーを蓄積し、外部の装置に電力を供給する照明器具に関する。
【背景技術】
【０００２】
暗い場所では照明器具を利用して周囲にある物を照らして確認する。一般的な照明器具には蝋燭、電球、懐中電灯などがある。
【０００３】
しかしながら、前述の電球は停電の場合、使用することができない。また、蝋燭は不注意で容易に火災を引き起こす可能性がある。懐中電灯は使用する場合に便利で安全であるという利点があるが、電池の電力を利用しているため、使用可能な時間が限られている。このため、緊急時に電力不足、且つ予備の電池がなく、懐中電灯が適宜に照明の機能を発揮することができないか、もしくはその他の外部装置が電力を必要としている場合、電池の電力が不足しているため、外部装置の機能を発揮することができないことがある。
【発明の開示】
【発明が解決しようとする課題】
【０００４】
この発明は外部装置に必要な電力を供給することができ、電気エネルギーを保存、もしくは放電することができる充電可能な照明器具を提供することを課題とする。
【課題を解決するための手段】
【０００５】
そこで、本発明者は従来の技術に見られる欠点に鑑みて鋭意研究を重ねた結果、電気エネルギーを保存し、他の電気回路を使用する電気エネルギーを提供する充・放電素子と、該充・放電素子に接続し、充・放電素子から電気エネルギーの供給を受ける制御素子と、該制御素子に接続し、制御素子の出力を切り替えるために供する切り替えスイッチと、該制御素子、充・放電素子に接続し、充・放電素子の電気エネルギーの供給を受けて、制御素子で操作して信号を出力する１以上の駆動素子と、該駆動素子に接続し、駆動素子が出力する信号に基づいて作動する発光素子と、該充・放電素子、制御素子、駆動素子、発光素子に接続し、外部装置に接続する接続ポートとを含んでなる充電可能な照明器具によって課題を解決できる点に着眼し、かかる知見に基づいて本発明を完成させた。
【０００６】
以下、この発明について具体的に説明する。
請求項１に記載の充電可能な照明器具は、電気エネルギーを保存し、他の電気回路を使用する電気エネルギーを提供する充・放電素子と、
該充・放電素子に接続し、充・放電素子から電気エネルギーの供給を受ける制御素子と、
該制御素子に接続し、制御素子の出力を切り替えるために供する切り替えスイッチと、
該制御素子、充・放電素子に接続し、充・放電素子の電気エネルギーの供給を受けて、制御素子で操作して信号を出力する１以上の駆動素子と、
該駆動素子に接続し、駆動素子が出力する信号に基づいて作動する発光素子と、
該充・放電素子、制御素子、駆動素子、発光素子に接続し、外部装置に接続する接続ポートとを含んでなる。
【０００７】
請求項２に記載の充電可能な照明器具は、請求項１に記載の充・放電素子、制御素子、駆動素子、発光素子、接続ポートの間にスイッチが設けられることを特徴とする請求項１に記載の充電可能な照明器具。
【０００８】
請求項３に記載の充電可能な照明器具は、請求項１における接続ポートが導線に接続する。
【０００９】
請求項４に記載の充電可能な照明器具は、請求項３における導線が第一端子、第二端子を具えてなる。
【００１０】
請求項５に記載の充電可能な照明器具は、請求項４におけるスイッチが磁力バネスイッチで、第一端子が磁性素子を設けてなる。
【００１１】
請求項６に記載の充電可能な照明器具は、請求項４における第二端子が外部装置に接続し、且つ、第二端子が様々な形態のコネクタである。
【００１２】
請求項７に記載の充電可能な照明器具は、請求項６における外部装置が電気設備である。
【００１３】
請求項８に記載の充電可能な照明器具は、請求項６における外部装置が電源発生設備である。
【００１４】
請求項９に記載の充電可能な照明器具は、請求項８における電源発生設備が交流部と直流部とを含んでなる。
【００１５】
請求項１０記載の充電可能な照明器具は、請求項９における交流部が発電機から形成される。
【００１６】
請求項１１に記載の充電可能な照明器具は、請求項９における直流部が整流素子と、安定素子とを含んでなり、該整流素子が交流部に接続して交流部が出力する交流電気を直流電気に転換し、該安定素子は整流素子に接続し、安定した電圧で直流電気を維持する。
【００１７】
請求項１２に記載の充電可能な照明器具は、請求項９における直流部がコンピュータの入出力インタフェイスからなる。
【００１８】
請求項１３に記載の充電可能な照明器具は、請求項８における電源発生設備が外部接続式の電源転換器からなる。
【００１９】
請求項１４における充電可能な照明器具は、請求項１０における発電機が自転車に設けられる。
【００２０】
請求項１５に記載の充電可能な照明器具は、請求項１における発光素子が自転車のヘッドライトである。
【００２１】
請求項１６に記載の充電可能な照明器具は、請求項１１における安定素子が駆動素子に接続し、駆動素子に接続する発光素子を作動させる。
【００２２】
請求項１７に記載の充電可能な照明器具は、請求項１６における発光素子が自転車のテール．ライトの内部に設ける。
【発明の効果】
【００２３】
この発明による充電可能な照明器具は、電気エネルギーを保存、供給することができるため実用的であるという効果を有する。
【発明を実施するための最良の形態】
【００２４】
この発明は、外部装置に必要な電力を供給することができ、電気エネルギーを保存、もしくは放電する              ことができる充電可能な照明器具であって、電気エネルギーを保存し、他の電気回路を使用する電気エネルギーを提供する充・放電素子と、該充・放電素子に接続し、充・放電素子から電気エネルギーの供給を受ける制御素子と、該制御素子に接続し、制御素子の出力を切り替えるために供する切り替えスイッチと、該制御素子、充・放電素子に接続し、充・放電素子の電気エネルギーの供給を受けて、制御素子で操作して信号を出力する１以上の駆動素子と、該駆動素子に接続し、駆動素子が出力する信号に基づいて作動する発光素子と、該充・放電素子、制御素子、駆動素子、発光素子に接続し、外部装置に接続する接続ポートとを含んでなることを特徴とする充電可能な照明器具。
具体的な実施例を挙げ、図示を参照にして以下に説明する。
【実施例】
【００２５】
図１は（図２、３も参照）、この発明の照明器具１の実施例を開示したものである。図面によれば、この発明の照明器具１は、電力を保存して、他の電気回路、もしくは装置が使用する電力を供給する充電・放電素子１１（充電式電池、もしくは充電フィルム、高容量のコンデンサーなどどのような保存素子でもよい）と、該充・放電素子１１に接続し、該充・放電素子１１の電力供給を受ける制御素子１２と、該制御素子１２に接続し、制御素子１２の出力（０、１の信号、もしくは高、低電圧など）を切り替える切り替えスイッチ１３と、該制御素子１２、充・放電素子１１に接続して充・放電素子１１の電力供給を受けて、上述の制御素子１２の指令、もしくは操作により信号を出力する駆動素子１４と、該駆動素子１４に接続し、該駆動素子１４が出力した信号に基づいて発光するか否か、点滅させるかなど作動させる発光素子１５（発光ダイオード、電球などからなるが、この限りではない）と、接続ポート１７とを含んでなる。
【００２６】
該発光素子１５は複数設けられている場合、上述の切り替えスイッチ１３を操作して前述の駆動素子１４に異なる信号を出力させて、発光素子１５の一部を発光、点滅などさせることができる（発光素子が１つの場合には、該切り替えスイッチ１３を操作して発光素子１５に視覚的な効果を持たせることができる。例えば１以上の発光素子１５を発光、点滅させるか、もしくは前述の切り替えスイッチ１３を再度操作して、前回発光させなかった発光素子１５を部分的に発光、もしくは点滅、もしくはすべて発光させるか、もしくはこのような照明効果など各種機能を具えた懐中電灯でもよい）。
【００２７】
該接続ポート１７は、充・放電素子１１、制御素子１２、駆動素子１４、発光素子１５に接続する。該接続ポート１７は外部装置に接続し、携帯電話、ＭＰ３プレイヤー、個人用携帯情報端末などの電気設備である外部装置（図示しない）に電気を供給するか、もしくは発電機などの電源発生設備２からなる外部装置（図１を参照とするが、この限りではない）から電気（即ち、電力の供給）の供給を受けて、充・放電素子１１に保存するとともに、制御素子１２、駆動素子１４、発光素子１５などを組み合わせてなる回路を作動するために必要な電力を供給する。
【００２８】
この実施例では電源発生設備２の出力する電圧が充・放電素子１１に設定された電圧値に合わないか、電力供給作用を具えた照明器具１が前述の接続ポート１７が出力する電圧が電気設備に合わない場合、接続ポート１７と上述の外部装置（電源発生設備２、もしくは電気設備）の間に電圧転換装置（図示しない）を接続して電源発生設備２、もしくは電力供給作用を具えた照明器具１の出力する電圧値を転換して、需要（充・放電素子１１、もしくは電気設備に合わせた電圧値）に合わせる。また、前述の電圧転換装置に接続する調整素子（図示しない）により電圧転換装置が出力する電圧を変更する。
【００２９】
該接続ポートは導線Ｃに接続する。該導線Ｃは上述の外部装置に接続するため、第一端子Ｃ１、第二端子Ｃ２を具えてなる。第一端子Ｃ１は一部に磁性素子（図示しない）を具えてなる。該第二端子Ｃ２はＵＳＢコネクタ（図４参照）、ＰＳ２コネクタ（図５参照）、ＦｉｒｅＷｉｒｅコネクタ（図７参照）、外接式電源転換器用コネクタ（図６を参照とするが、この限りではない。例えば携帯電話コネクタなどを含む）、立体音声ミニコネクタ（図２、３参照）など様々な形態のコネクタであって、様々な外部装置に対応することができるが、この限りではない。
【００３０】
また、上述の充・放電素子１１、制御素子１２、駆動素子１４、発光素子１５と接続ポート１７との間には磁力バネスイッチ（もしくはマグネチックスイッチ、ｍａｇｎｅｔｉｃ  ｓｗｉｔｃｈ）、タッチスイッチなどの（この限りではない）スイッチ１６が設けられる。前述のスイッチ１６は導線Ｃの第一端子Ｃ１が接続ポート１７に接続すると、スイッチ１６がオンの状態になり（例えば、第一端子Ｃ１における磁力バネスイッチが上述の接続ポートに接続すると、磁性素子が磁力を発生して磁力バネスイッチがオンの状態になる）接続ポート１７、充・放電素子１１、制御素子１２、駆動素子１４、発光素子１５と該導線Ｃが繋がった状態になる。
【００３１】
一方、第一端子Ｃ１が接続ポート１７に接続しないと、スイッチ１６がオフの状態になり、充・放電素子１１、制御素子１２、駆動素子１４、発光素子１５、接続ポート１７が同じ経路を形成し（例えば磁力バネスイッチが磁性素子の反応を受けず、繋がっていないなど）、異物が接続ポート１７に接触してショートすることを防ぐ。即ち、該スイッチ１６は充・放電素子１１、制御素子１２、駆動素子１４、発光素子１５などそれぞれの素子、もしくは部材を組み合わせてなる経路が外部と接続するか、否かを制御する。
【００３２】
この実施例では、外部装置は電源発生設備２（図１参照）からなり、交流部／直流部とに分けられる。該交流部は発電機２１からなり、該発電機２１を作動して電力を出力するとともに、１以上の発光素子１５に接続して、発電機２１が作動状態（極性が反し、接続する２つの発光素子１５を採用し、２つの発光素子１５がそれぞれプラス、マイナスの半波長の周期で発光する）にあることを表示する。
【００３３】
該直流部は整流素子２２と、安定素子２３と、駆動素子２４と、１以上の発光素子１５とを含んでなる。該整流素子２２は交流部（発電機２１など）に接続し、交流電気を出力して直流電気に転換する。該安定素子２３は、整流素子２２に接続し、安定素子２３における直流電気を維持する。該駆動素子２４は安定素子２３に接続し、発光素子１５（発光するか否か、点滅などで、且つ発光素子１５は自転車３のテール．ライトの内部など交通用具に設けることができる）を作動する。また、安定素子２３と駆動素子２４との間にダイオードなど単一方向開通素子２５を設けて電源が帰還することを防ぐ。しかしながら、該電源発生設備２（外部装置）はコンピュータもしくは関連する入出力インタフェイス（該直流部のような作用を提供する）、外部接続式の電源転換器などから形成するが、この限りではない。
【００３４】
この発明の照明器具１は懐中電灯を使用できるほかに、交通器具（図８に開示するように発光素子１５を自転車のヘッドライドとする）に設けてもよい。該電源発生設備２の直流部は交通器具（自転車３のテール．ライトの内部など）に設けてもよい。該交流部は自転車に設ける各種交流発電機に設けてもよく、該充・放電素子１１が第二端子Ｃ２（ＵＳＢコネクタ、ＰＳ２コネクタ、ＦｉｒｅＷｉｒｅコネクタ、外部接続式電源転換器コネクタ、立体音声ミニコネクタなど各種コネクタ）を利用して対応する外部装置に連接（もしくは接続）する。例えばＵＳＢコネクタ、ＰＳ２コネクタ、ＦｉｒｅＷｉｒｅコネクタはコンピュータと関連するインタフェイスに接続するか、外部接続式の電源転換器コネクタ、立体音声ミニコネクタが外部接続式電源転換器に接続しているため、電力を補充することができ、実用的である。
【００３５】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００３６】
【図１】この発明の充電可能な照明器具の電気回路を示した説明図である。
【図２】この発明の充電可能な照明器具を示した分解図である。
【図３】図２に開示する充電可能なしょうめいを器具の示した斜視図である。
【図４】この発明の充電可能な照明器具の第二端子を示した斜視図である。
【図５】この発明の充電可能な照明器具の第二端子を示した斜視図である。
【図６】この発明の充電可能な照明器具の第二端子を示した斜視図である。
【図７】この発明の充電可能な照明器具の第二端子を示した斜視図である。
【図８】この発明の充電可能な照明器具を自転車に設けた状態を示した説明図である。
【符号の説明】
【００３７】
１   照明器具
１１ 充・放電素子
１２ 制御素子
１３ 切り替えスイッチ
１４ 駆動素子
１５ 発光素子
１６ スイッチ
１７ 接続ポート
２   電源発生設備
２１ 発電機
２２ 整流素子
２３ 安定素子
２４ 駆動素子
２５ 単一方向開通素子
３   自転車
Ｃ   導線
Ｃ１ 第一端子
Ｃ２ 第二端子
【図１】
2007066899.tif 000003
【図２】
2007066899.tif 000004
【図３】
2007066899.tif 000005
【図４】
2007066899.tif 000006
【図５】
2007066899.tif 000007
【図６】
2007066899.tif 000008
【図７】
2007066899.tif 000009
【図８】
2007066899.tif 000010